(57)【要約】【課題】撫で肩状のボトルを集積して確実に保持できるマルチパックを提供する。【解決手段】支持板１の周囲各辺から延びる側板５，６の両側部分には、それぞれ支持板１側から切欠縁８及び張出部９を順次形成して、張出部９の先端側での側板５，６の幅が支持板１の各辺の幅よりも大きくなるように設定し、隣り合う側板５，６の張出部９同士を接合した組立状態では、側板５，６が上端から下端へかけて外側へ迫り出した下広がりのテーパー状となり、隣り合う側板５，６の切欠縁８の間にコーナー窓部１０が形成されるものとし、集積したボトルに上方から被せ、各ボトルの首部を支持板１の首出穴３から上方へ突出させると、ボトルの肩部がコーナー窓部１０からはみ出すようにする。【選択図】図１
2015140184.tif 000002
【特許請求の範囲】
【請求項１】
支持板(1)に、集積した複数本のボトルの首部がそれぞれ下方から上方へ貫通する首出穴(3)を形成し、首出穴(3)の周縁に、ボトルの首部のフランジに係合する首掛片(4)を設け、支持板(1)の周囲各辺に側板(5,6)を連設し、側板(5,6)を下方へ折り曲げて組み立てるボトル運搬用マルチパックにおいて、
支持板(1)の周囲各辺から延びる側板(5,6)の両側部分には、それぞれ支持板(1)側から切欠縁(8)及び張出部(9)を順次形成して、張出部(9)の先端側での側板(5,6)の幅が支持板(1)の各辺の幅よりも大きくなるように設定し、隣り合う側板(5,6)の張出部(9)同士を接合した組立状態では、側板(5,6)が上端から下端へかけて外側へ迫り出した下広がりのテーパー状となり、隣り合う側板(5,6)の切欠縁(8)の間にコーナー窓部(10)が形成されるものとし、集積したボトルに上方から被せ、各ボトルの首部を首出穴(3)から上方へ突出させると、ボトルの肩部がコーナー窓部(10)からはみ出すようにしたことを特徴とするボトル運搬用マルチパック。
【請求項２】
前記コーナー窓部(10)と首出穴(3)とが連通し、一体となった開口部を形成することを特徴とする請求項１に記載のボトル運搬用マルチパック。
【発明の詳細な説明】
【技術分野】
【０００１】
この発明は、複数本の飲料入りボトルを纏めて持ち運べるように集合包装するマルチパックに関するものである。
【背景技術】
【０００２】
従来、下記特許文献１には、図１１に示すようなボトル運搬用マルチパックが記載されている。このマルチパックは、指入穴５２を有する長方形状の支持板５１に、ボトルＢ２の首部が下方から上方へ貫通する首出穴５３を複数形成し、首出穴５３の周縁に、ボトルＢ２の首部のフランジｆに係合する首掛片５４を設け、支持板５１の外周の長辺から延びる側板５５と、短辺から延びる側板５６とを下方へ折り曲げたものである。
【０００３】
このマルチパックでは、隣り合う側板５５，５６が組み立てに伴い折り込まれる折込片５７を介して繋がれ、側板５６の両側部に設けられた帯状延長部５８の先端部を隣り合う側板５５に貼り付けて、組立形状が維持されている。側板５６の帯状延長部５８より上方には、開口部５９が形成されている。
【０００４】
また、側板５５，５６の上部には、支持板５１との境界の折目線５５ａ，５６ａに平行な２本の折目線５５ｂ，５５ｃ及び５６ｂ，５６ｃがそれぞれ入れられ、帯状延長部５８には、開口部５９に臨む端縁から下端縁に至る折目線５８ａが入れられている。
【０００５】
そして、ボトルＢ２を包装した状態で、側板５５，５６の上部は、折目線５５ｂ，５５ｃ及び５６ｂ，５６ｃによりボトルＢ２の肩部に沿って順次屈曲し、帯状延長部５８は、折目線５８ａによりボトルＢ２の胴部外周に沿って湾曲する。側板５５，５６の折目線５５ｃ，５６ｃより下方は、ボトルＢ２の胴部外周に沿って垂直となり、ボトルＢ２の肩部が開口部５９からはみ出すことはない。
【先行技術文献】
【特許文献】
【０００６】
【特許文献１】特許第３３８６１３５号公報
【発明の概要】
【発明が解決しようとする課題】
【０００７】
ところで、近年、３５０ｍｌ等の比較的小容量のペットボトル飲料が販売されており、このようなボトルは、高さは５００ｍｌ入りのものと同様であるものの、テーパー状の肩部が急傾斜で上下に長く延びた撫で肩状とされ、胴部の高さは低くなっている。
【０００８】
このようなボトルの集合包装に上記のようなマルチパックを使用すると、側板５５及び側板５６の折目線５５ｃ，５６ｃより下方の部分が帯状延長部５８を含めてボトルの外周面に密着せず、ボトルの保持力が弱くなる恐れがある。
【０００９】
そこで、この発明は、撫で肩状のボトルを集積して確実に保持できるマルチパックを提供することを課題とする。
【課題を解決するための手段】
【００１０】
上記課題を解決するため、この発明は、支持板に、集積した複数本のボトルの首部がそれぞれ下方から上方へ貫通する首出穴を形成し、首出穴の周縁に、ボトルの首部のフランジに係合する首掛片を設け、支持板の周囲各辺に側板を連設し、側板を下方へ折り曲げて組み立てるボトル運搬用マルチパックにおいて、支持板の周囲各辺から延びる側板の両側部分には、それぞれ支持板側から切欠縁及び張出部を順次形成して、張出部の先端側での側板の幅が支持板の各辺の幅よりも大きくなるように設定し、隣り合う側板の張出部同士を接合した組立状態では、側板が上端から下端へかけて外側へ迫り出した下広がりのテーパー状となり、隣り合う側板の切欠縁の間にコーナー窓部が形成されるものとし、集積したボトルに上方から被せ、各ボトルの首部を首出穴から上方へ突出させると、ボトルの肩部がコーナー窓部からはみ出すようにしたのである。
【００１１】
また、前記コーナー窓部と首出穴とが連通し、一体となった開口部を形成するようにしたのである。
【発明の効果】
【００１２】
この発明に係るマルチパックでは、包装するボトルが撫で肩状のものであっても、側板が上端から下端へかけて外側へ迫り出した下広がりのテーパー状となり、コーナー窓部からコーナー部に位置するボトルの肩部がはみ出し、張出部でボトルの外周が締め付けられるので、このようなボトルを集積した状態で確実に保持することができる。
【図面の簡単な説明】
【００１３】
【図１】第１実施形態のマルチパックによるボトルの包装状態を示す斜視図
【図２】同上のマルチパックのブランクを示す図
【図３】第２実施形態のマルチパックによるボトルの包装状態を示す斜視図
【図４】同上のマルチパックのブランクを示す図
【図５】第３実施形態のマルチパックによるボトルの包装状態を示す斜視図
【図６】同上のマルチパックのブランクを示す図
【図７】同上の折畳状態を示す斜視図
【図８】第４実施形態のマルチパックによるボトルの包装状態を示す斜視図
【図９】同上のマルチパックのブランクを示す図
【図１０】同上の折畳状態を示す斜視図
【図１１】従来のマルチパックによるボトルの包装状態を示す斜視図
【発明を実施するための形態】
【００１４】
この発明の第１実施形態を図１及び図２に基づいて説明する。
【００１５】
このマルチパックは、図１に示すように、ボトルＢ１を２本ずつ２列に集積して包装するものである。ボトルＢ１は、円筒状の胴部ａ、上窄まりテーパー状の肩部ｂ、キャップにより閉栓される首部ｃから成るペットボトルであり、肩部ｂの傾斜が大きい撫で肩状とされ、首部ｃには、キャップの下方にフランジｆが設けられている。
【００１６】
このマルチパックのブランクは、図２に示すような板紙から成り、各コーナー部が切り欠かれた正方形状の支持板１には、中央部に押込に伴い開口する指入穴２が形成され、各コーナー部に臨んで４個の首出穴３が形成されている。首出穴３の周縁には、支持板１の各コーナー部を除いて、周方向に３個ずつ首掛片４が設けられている。
【００１７】
支持板１の周囲各辺のうち、一方の対向する辺には、折目線５ａを介して側板５が連設され、他方の対向する辺には、折目線６ａを介して側板６が連設されている。側板６の両側には、継代片７が連設されている。
【００１８】
そして、側板５，６の両側部分には、支持板１側から切欠縁８及び張出部９が順次形成され、切欠縁８は首出穴３の切欠部に達し、張出部９の先端側での側板５，６の幅は、支持板１の各辺の幅よりも大きくなるように設定されている。
【００１９】
このブランクを組み立てる際には、図１に示すように、支持板１から側板５，６を下方へ折り曲げ、継代片７を隣り合う側板５に貼り付けて、組立形状を維持する。
【００２０】
この組立状態では、側板５，６が上端から下端へかけて外側へ迫り出した下広がりのテーパー状となる。また、隣り合う側板５，６の切欠縁８の間にコーナー窓部１０が形成され、コーナー窓部１０と首出穴３とが連通し、一体となった開口部が形成される。
【００２１】
このように、組立状態において、側板５，６が下広がりのテーパー状となるので、多数のマルチパックを積み重ねたとき、下方のマルチパックが上方のマルチパックの内部に挿入され、保管に際し、嵩張ることがない。
【００２２】
一方、上記のように組み立てたマルチパックを、集積した４本のボトルＢ１に上方から被せ、各ボトルＢ１の首部ｃをフランジｆまで首出穴３から上方へ突出させると、首掛片４は、押し上げられた後、反発によりフランジｆの下部に係合する。
【００２３】
また、ボトルＢ１の肩部ｂがコーナー窓部１０からはみ出し、ボトルＢ１の胴部ａに沿って張出部９が湾曲し、張出部９でボトルＢ１の胴部ａが締め付けられる。この状態で、指入穴２に指を入れて、マルチパックをボトルＢ１と共に持ち上げると、ボトルＢ１を集積した状態で確実に保持して、運搬することができる。
【００２４】
また、このマルチパックでは、支持板１の各コーナー部が切り欠かれて、側板５，６の切欠縁８が首出穴３の切欠部に達し、コーナー窓部１０と首出穴３とが一体となった開口部を形成しているので、包装状態で支持板１と側板５，６のコーナー部が煩わしく感じられることがない。
【００２５】
次に、この発明の第２実施形態の上記実施形態と異なる特徴部分を図３及び図４に基づいて説明する。
【００２６】
このマルチパックでは、支持板１のコーナー部が切り欠かれておらず、首出穴３の周縁には、首掛片４が周方向に４個ずつ設けられている。コーナー窓部１０と首出穴３とは連通していないが、側板５，６の両側上方のコーナー部に、組立状態で支持板１と側板５，６のコーナー部の尖りを緩和する補助罫線が入れられている。
【００２７】
このようなマルチパックでも、ボトルＢ１の肩部ｂがコーナー窓部１０からはみ出し、ボトルＢ１の胴部ａに沿って張出部９が湾曲し、張出部９でボトルＢ１の胴部ａが締め付けられるので、ボトルＢ１を集積した状態で確実に保持して、運搬することができる。
【００２８】
次に、この発明の第３実施形態の上記実施形態と異なる特徴部分を図５〜図７に基づいて説明する。
【００２９】
このマルチパックでは、図５及び図６に示すように、一方の側板５に、高さ方向の中間部で幅方向に延びる折目線５ｂが入れられ、両方の側板６に、支持板１の一側のコーナー部付近から斜め方向に延びる折目線６ｂと、これに続いて側板６の下端となる端縁へ垂直に延びる折目線６ｃが入れられている。
【００３０】
このような構成とすると、図７に示すように、一方の側板５を折目線５ｂで谷折りし、両方の側板６を折目線６ｂ，６ｃで山折りにすることにより、偏平に折り畳んで保管しておくことができ、ボトルの包装に際し、折目線６ｂ，６ｃでの折り曲げを伸ばして、迅速に組み立てることができる。
【００３１】
次に、この発明の第４実施形態の上記実施形態と異なる特徴部分を図８〜図１０に基づいて説明する。
【００３２】
このマルチパックでは、図８及び図９に示すように、側板５，６の高さ方向の寸法が小さく設定され、両方の側板６に、両側縁から下端となる端縁の中央側へかけて斜め方向に延びる折目線６ｄがＶ字状に入れられている。
【００３３】
このような構成とすると、上記のような撫で肩状のボトルＢ１だけでなく、５００ｍｌ入りのペットボトルのように、テーパー状の肩部の傾斜が緩く、胴部の高さ方向の寸法が大きいボトルＢ２の包装にも使用できる。また、両方の側板６を折目線６ｄで山折りにすることにより、偏平に折り畳んで保管しておくことができ、ボトルの包装に際し、折目線６ｄでの折り曲げを伸ばして、迅速に組み立てることができる。
【符号の説明】
【００３４】
１  支持板
２  指入穴
３  首出穴
４  首掛片
５，６  側板
５ａ，５ｂ，６ａ〜６ｄ  折目線
７  継代片
８  切欠縁
９  張出部
１０  コーナー窓部
Ｂ１，Ｂ２  ボトル
ａ  胴部
ｂ  肩部
ｃ  首部
ｆ  フランジ
【図１】
2015140184.tif 000003
【図２】
2015140184.tif 000004
【図３】
2015140184.tif 000005
【図４】
2015140184.tif 000006
【図５】
2015140184.tif 000007
【図６】
2015140184.tif 000008
【図７】
2015140184.tif 000009
【図８】
2015140184.tif 000010
【図９】
2015140184.tif 000011
【図１０】
2015140184.tif 000012
【図１１】
2015140184.tif 000013